(57)【要約】【課題】梱包容器を薄くし過ぎると、倒れやすく、物流においてダメージを受け易くなるという問題があった。このため、電子機器の梱包容器の薄型化と物流における安定化を両立させることが課題となっていた。【解決手段】実施形態の梱包容器は、梱包容器に梱包物が梱包された際に、その梱包物の周囲に配置される側面部を備える。また、前記梱包物が載置される下面部を備える。また、前記側面部と前記下面部が交わる部分に形成される肩部またはこの肩部近傍に設けられ、前記梱包容器を支持可能な支持部を備える。【選択図】  図４
2012171639.tif 000002
【特許請求の範囲】
【請求項１】
梱包容器に梱包物が梱包された際に、その梱包物の周囲に配置される側面部と、
前記梱包物が載置される下面部と、
前記側面部と前記下面部が交わる部分に形成される肩部またはこの肩部近傍に設けられ、前記梱包容器を支持可能な支持部を備える梱包容器。
【請求項２】
電子機器と、
前記電子機器が載置される下面部と、
前記電子機器の周囲に配置される側面部と、
前記側面部と前記下面部が交わる部分に形成される肩部またはこの肩部近傍に設けられ、前記梱包容器を支持可能な支持部を備える梱包容器。
【請求項３】
前記請求項１または請求項２に記載の梱包容器の少なくとも一部に構成される梱包部材。
【請求項４】
前記梱包容器の少なくとも一部は梱包材で構成される請求項１または請求項２に記載の梱包容器。
【請求項５】
前記側面部と前記支持部は一体で構成される請求項１または請求項２に記載の梱包容器。
【請求項６】
前記支持部を構成する部材の少なくとも一部は前記側面部と略同じ方向に強い強度を備える請求項１または請求項２に記載の梱包容器。
【請求項７】
前記梱包容器は第１の肩部に構成される第１の支持部および第２の肩部に構成される第２の支持部を備える請求項１または請求項２に記載の梱包容器。
【請求項８】
前記第１の支持部と前記第２の支持部は大きさが異なる請求項７に記載の梱包容器。
【請求項９】
梱包容器に梱包物が梱包された際に、前記梱包物を挟み、前記下面部に対向して設けられる上面部を備え、
前記側面部と前記上面部が交わる部分に設けられ、前記梱包容器に載置される載置物を支持可能な上部支持部を備える請求項１または請求項２に記載の梱包容器。
【請求項１０】
前記支持部と前記上部支持部は互い違いに配置される請求項９に記載の梱包容器。
【請求項１１】
前記上面部および前記下面部またはいずれか１つは梱包材が重ねて設けられる部分を備える請求項９に記載の梱包容器。
【発明の詳細な説明】
【技術分野】
【０００１】
本発明の実施形態は、梱包容器、梱包部材に関する。
【背景技術】
【０００２】
近年、ＴＶの表示画面は大型化している。また、薄型化が進んでいる。
また、ＴＶの普及も進んでおり、価格が低下しつつある。このため、ＴＶの輸送や保管等に係る、いわゆる物流コストを低減することが求められている。
そして、物流コストを低減するために、例えば、ＴＶを梱包する梱包容器を薄型化することが要求されている。
しかし、梱包容器はある程度の厚みがあって物流において安定であり、薄くし過ぎると不安定になり、倒れやすく、例えば物流においてダメージを受け易くなるという問題があった。
【０００３】
このため、電子機器の梱包容器の薄型化と、物流における安定化を両立させることが課題となっていた。
【先行技術文献】
【特許文献】
【０００４】
【特許文献１】特開２００８−１９５４０４号公報
【発明の概要】
【発明が解決しようとする課題】
【０００５】
電子機器の梱包容器の薄型化と、物流における安定化を両立させることが課題となっていた。
【課題を解決するための手段】
【０００６】
実施形態の梱包容器は、梱包容器に梱包物が梱包された際に、その梱包物の周囲に配置される側面部を備える。
また、前記梱包物が載置される下面部を備える。
また、前記側面部と前記下面部が交わる部分に形成される肩部またはこの肩部近傍に設けられ、前記梱包容器を支持可能な支持部を備える。
【図面の簡単な説明】
【０００７】
【図１】実施形態に係わる梱包容器に収容される電子機器の一例を説明する図。
【図２】電子機器が収容される一般的な梱包容器の外観を説明する図。
【図３】実施形態に係わる梱包容器の外観を説明する図。
【図４】実施形態に係わる梱包容器の一例を説明する図。
【図５】実施形態に係わる、図４に示す梱包容器の断面図。
【図６】実施形態に係わる梱包容器の構成の一部を説明する図。
【図７】実施形態に係わる、図６に示す梱包容器の一部を組み立てた例を説明する図。
【図８】実施形態に係わる梱包容器の一部を構成する梱包材の一例を示す図。
【図９】実施形態に係わる、図８に示す梱包材の一部から組み立てられる梱包容器の一例を示す図。
【図１０】実施形態に係わる梱包容器を重ねた例を示す図。
【発明を実施するための形態】
【０００８】
以下、図面を参照し、実施の形態を説明する。
図１は、実施形態に係わる梱包容器に収容される電子機器の一例を説明する図である。
例えば、ここでは梱包容器に収容される電子機器の一例として、ＴＶを用いて説明を行う。
符号１は電子機器（ＴＶ）、符号８は電子機器（ＴＶ）に構成される液晶表示装置（ＬＣＤ）である。
図１（ａ）は、電子機器（ＴＶ）１を正面から見た図である。例えば、リモコン２１をユーザが操作し、その動作が制御される。
この電子機器（ＴＶ）１は、予め、薄型化した液晶表示装置（ＬＣＤ）の上下および左右方向が決められ、液晶表示装置（ＬＣＤ）は、図に示すように、立てられた状態で使用される。
【０００９】
図１（ｂ）は、電子機器（ＴＶ）１をやや斜めから見た図である。
図に示すように、電子機器（ＴＶ）１が薄型化されていることがわかる。
図２は、電子機器が収容される一般的な梱包容器の外観を説明する図である。
符号１０は一般的な梱包容器である。
この梱包容器は、梱包材で構成され、図に示すような略立方体形状である。
梱包容器１０には、図に示すように、上記電子機器（ＴＶ）１の使用状態に近い状態となるように、液晶表示装置（ＬＣＤ）８が立てられた状態で梱包容器に梱包され、収容される。
【００１０】
この梱包容器１０は、内部の下面部１６上に電子機器（ＴＶ）１が載置され、電子機器（ＴＶ）１の周囲に、側面部１２、側面部１３、側面部１４、側面部１５が構成される。
【００１１】
また、上面部１１ａ、上面部１１ｂがいわゆる「観音開き」の構成で設けられ、梱包容器１０の蓋の役割を果たしている。一般に、この「観音開き」の蓋（上面部１１ａ、上面部１１ｂ）には、テープが貼られ、固定される。
【００１２】
図３は、実施形態に係わる梱包容器の外観を説明する図である。
符号３０はこの実施の形態に係わる梱包容器である。
上記と同様に、この梱包容器３０は、梱包材で構成される。
この実施の形態においても、梱包容器３０は、図に示すような略立方体形状である。
そして、上記と同様に、梱包容器３０には、電子機器（ＴＶ）１の使用状態に近い状態となるように、液晶表示装置（ＬＣＤ）８が、予め決められた上下方向に立てられた状態で梱包容器に梱包される。
【００１３】
電子機器（ＴＶ）１は、この状態で、物流に供されることが望ましい。
この梱包容器３０は、上記と同様に、内部の下面部（３６ａ、３６ｂ）上に電子機器（ＴＶ）１が載置され、電子機器（ＴＶ）１の周囲に、側面部３２、側面部３３、側面部３４、側面部３５が構成される。
【００１４】
また、この実施の形態においては、梱包容器３０は、図に示すように、フラップ３７ａ、フラップ３７ｂ、上面部３１ａ、上面部３１ｂを備えている。
そして、梱包容器３０の蓋をする際には、まず、フラップ３７ａ、フラップ３７ｂが閉じられる。続いて、上面部３１ａが閉じられた後に、上面部３１ａに重ねて上面部３１ｂが閉じられる。
【００１５】
図４は、実施形態に係わる梱包容器の一例を説明する図である。
符号４２ｂは、上面部３１ｂと側面部３２が交わる部分に形成される肩状の部分であり、上部肩部である。符号４１ｂは、この上部肩部４２ｂあるいはこの上部肩部４２ｂの近傍に設けられる上部支持部である。
【００１６】
符号４２ａは、上記と同様に、上面部３１ａ（後述）と側面部３４（後述）が交わる部分に形成される肩状の部分であり、上部肩部である。符号４１ａは、この上部肩部４２ａあるいはこの上部肩部４２ａの近傍に設けられる上部支持部である。
【００１７】
後述するが、これらの上部支持部４２ｂと上部支持部４２ａの高さを比較すると、上部支持部４２ｂは低く、上部支持部４２ａは高くなるように、すなわち、上部支持部４２ｂと上部支持部４２ａは大きさが異なるように構成されている。
【００１８】
符号４４ｂは、下面部３６ｂと側面部３２が交わる部分に形成される肩状の部分であり、下部肩部である。符号４３ｂは、この下部肩部４４ｂあるいはこの下部肩部４４ｂの近傍に設けられる下部支持部である。
【００１９】
符号４４ａは、下面部３６ａと側面部３４（後述）が交わる部分に形成される肩状の部分であり、下部肩部である。符号４３ａは、この下部肩部４４ａあるいはこの下部肩部４４ａの近傍に設けられる下部支持部である。
【００２０】
これらの下部支持部４３ｂと下部支持部４３ａの高さを比較すると、下部支持部４３ｂは低く、下部支持部４３ａは高くなるように、すなわち、下部支持部４３ｂと下部支持部４３ａは大きさが異なるように構成されている。
【００２１】
また、この実施の形態においては、梱包容器３０の少なくとも一部または全部は、例えば、梱包材で構成される。
梱包材は、物流のための貨物包装に供される素材であり、例えば、「段ボールシート」で構成される。
「段ボール」は、板紙を多層構造で強靭にし、包装資材などに使用できるよう加工した板状の紙製品であり、「段ボールシート」はその素材である。
「段ボール」は、一般には、波状に加工した紙（中芯）を表裏の紙で挟んで接着し、強度を持たせた構造をしている。さらに、多層に加工したものや、波状の紙が表面にでている「片面段ボール」もある。
【００２２】
また、「段ボール」は、再加工した段ボール箱、その他の段ボール製品を用いることも可能である。
また、「段ボール」は、上記「中芯」の波の方向で、強度が変わる。すなわち、波に平行な方向には、折れやすく、波に対して垂直な方向には強度がある。
この実施の形態においては、梱包容器３０を支持可能な支持部において、側面部（３２、３３、３４、３５）と略同じ方向に強い強度となるように、すなわち、上記「中芯」の波に対して垂直な方向が設置面に接するように構成される。
【００２３】
この実施の形態においては、符号５０が上記「中芯」の波の方向を示している。
このように構成されることによって、梱包容器（ＴＶ梱包容器）３０の薄型化とＴＶ収容状態における安定化を両立させることが可能になる。
図５は、実施形態に係わる、図４に示す梱包容器の断面図である。
図５（ａ）は、図４の符号４０を付した方向から上記上部支持部（４１ａ、４１ｂ）の近傍を見た図である。
この実施の形態においては、例えば、梱包容器３０の一部である側面部３４と上面部３１ａ、上部肩部４２ａは一体に構成されている。
そして、図に示すように、例えば、側面部３４と上面部３１ａは折り曲げられ、この側面部３４と上面部３１ａが交わる部分には上部肩部４２ａが形成される。
また、この上部肩部４２ａまたはこの上部肩部４２ａ近傍には、梱包容器３０を、例えば、上方向に支持可能な上部支持部４１ａが構成される。
上記のように、この上部支持部４１ａの強度は側面部３４と略同じ方向に強い強度となるように、上記「中芯」の波に対して垂直な方向が、上方向に向くように構成される（図４）。
【００２４】
また、同様に、例えば、梱包容器３０の一部である側面部３２と上面部３１ｂ、上部肩部４２ｂは一体に構成されている。
例えば、側面部３２と上面部３１ｂは折り曲げられ、この側面部３４と上面部３１ｂが交わる部分には上部肩部４２ｂが形成される。
また、この上部肩部４２ｂまたはこの上部肩部４２ｂ近傍には、梱包容器３０を、例えば、上方向に支持可能な上部支持部４１ｂが構成される。
この上部支持部４１ｂの強度は側面部３２と略同じ方向に強い強度となるように、上記「中芯」の波に対して垂直な方向が、上方向に向くように構成される（図４）。
【００２５】
また、このように、上部支持部４１ａおよび上部支持部４１ｂを設けることによって、符号５１を付した横方向に対して安定になり、転倒を防止することが可能になる。
【００２６】
図５（ｂ）は、同様に、図４の符号４０を付した方向から上記下部支持部（４４ａ、４４ｂ）近傍を見た図である。
この実施の形態においては、同様に、例えば、梱包容器３０の一部である側面部３４と下面部３６ａ、下部肩部４４ａは一体に構成されている。
そして、図に示すように、例えば、側面部３４と下面部３６ａは折り曲げられ、この側面部３４と下面部３６ａが交わる部分には下部肩部４４ａが形成される。
また、この下部肩部４４ａまたはこの下部肩部４４ａ近傍には、梱包容器３０を、例えば、下方向に支持可能な下部支持部４３ａが構成される。
上記のように、この下部支持部４３ａの強度は側面部３４と略同じ方向に強い強度となるように、上記「中芯」の波に対して垂直な方向が、下方向に向くように構成される（図４）。
【００２７】
また、同様に、例えば、梱包容器３０の一部である側面部３２と下面部３６ｂ、下部肩部４４ｂは一体に構成されている。
例えば、側面部３２と下面部３６ｂは折り曲げられ、この側面部３２と下面部３６ｂが交わる部分には下部肩部４４ｂが形成される。
また、この下部肩部４４ｂまたはこの下部肩部４４ｂ近傍には、梱包容器３０を、例えば、下方向に支持可能な下部支持部４３ｂが構成される。
この下部支持部４３ｂの強度は側面部３２と略同じ方向に強い強度となるように、上記「中芯」の波に対して垂直な方向が、下方向に向くように構成される（図４）。
【００２８】
また、このように、下部支持部４３ａおよび下部支持部４３ｂを設けることによって、符号５２を付した横方向に対して安定になり、転倒を防止することが可能になる。
【００２９】
図６は、実施形態に係わる梱包容器の構成の一部を説明する図である。
図６（ａ）は、梱包容器３０の一部である側面部３２と上面部３１ｂ、上部肩部４２ｂ、上部支持部４１ｂ、下面部３６ｂ、下部肩部４４ｂ、下部支持部４３ｂが構成される梱包部材の一例である。
【００３０】
ここでは、例えば、これらの側面部３２と上面部３１ｂ、上部肩部４２ｂ、上部支持部４１ｂ、下面部３６ｂ、下部肩部４４ｂ、下部支持部４３ｂは一つの梱包部材に、一体に構成されている。
【００３１】
符号６０は、例えば、上記上部支持部４１ｂの近傍を示している。
図６（ｂ）は、上記上部支持部４１ｂの構成例を示している。
ここでは、上部支持部４１ｂは図に示すように、上部肩部４２ｂまたは上部肩部４２ｂの近傍に上記梱包部材の一部がプレス等でカットされ、例えばスリットが設けられる。
【００３２】
また、下部支持部４４ｂも同様に、下部肩部４４ｂまたは下部肩部４４ｂの近傍に上記梱包部材の一部がプレス等でカットされ、例えばスリットが設けられる。
このように、肩部または肩部の近傍にスリットを設けることで、梱包部材を折り曲げ易くなる。
この実施の形態においては、このスリットを設けた部分が上部支持部（４１ａ、４１ｂ）や下部支持部（４３ａ、４３ｂ）となり、梱包容器３０の上面または底面に接するため、平坦な面を設置することが可能になる。このように構成することで、転倒防止効果を得ることが可能になる。
【００３３】
図７は、実施形態に係わる、図６に示す梱包容器の一部を組み立てた例を説明する図である。
上記図６で説明した梱包容器の構成の一部は、例えば、図７に示すように組み立てられる。
図に示すように、側面部３２と上面部３１ｂは折り曲げられ、この側面部３４と上面部３１ｂが交わる部分には上部肩部４２ｂが形成される。
この上部肩部４２ｂまたはこの上部肩部４２ｂ近傍には、梱包容器３０を、例えば、上方向に支持可能な上部支持部４１ｂが構成される。
この上部支持部４１ｂの強度は側面部３２と略同じ方向に強い強度となるように、上記「中芯」の波に対して垂直な方向が、上方向に向くように構成される。
また、同様に、側面部３２と下面部３６ｂは折り曲げられ、この側面部３２と下面部３６ｂが交わる部分には下部肩部４４ｂが形成される。
この下部肩部４４ｂまたはこの下部肩部４４ｂ近傍には、梱包容器３０を、例えば、下方向に支持可能な下部支持部４３ｂが構成される。
この下部支持部４３ｂの強度は側面部３２と略同じ方向に強い強度となるように、上記「中芯」の波に対して垂直な方向が、下方向に向くように構成される。
この梱包容器３０は、主に、図に示すような上下方向で物流に供されることを想定している。
図８は、実施形態に係わる梱包容器の一部を構成する梱包材の一例を示す図である。
例えば、この実施の形態においては、梱包容器３０は、図８（ａ）、図８（ｂ）に示す、２枚の梱包部材（段ボールシート）で構成される。
図８（ａ）は、図６に示す梱包容器の構成の一部と同様に、梱包部材に、側面部３２と上面部３１ｂ、上部肩部４２ｂ、上部支持部４１ｂ、下面部３６ｂ、下部肩部４４ｂ、下部支持部４３ｂが構成される。
【００３４】
また、ここでは、この梱包部材に、図に示すように、側面部３５、フラップ３７ｂ、フラップ３８ｂも一体に構成される。
ここでは、上部肩部４２ｂまたは上部肩部４２ｂの近傍に、上部支持部４１ｂが９０ｍｍの間隔を置いて、５つ設けられる。
また、下部肩部４４ｂまたは下部肩部４４ｂの近傍に、下部支持部４３ｂが９０ｍｍの間隔を置いて、６つ設けられる。
すなわち、これらの上部支持部４１ｂおよび下部支持部４３ｂは、図に示すように、互い違いに設けられる。
図８（ｂ）は、同様に、梱包部材に、側面部３４と上面部３１ａ、上部肩部４２ａ、上部支持部４１ａ、下面部３６ａ、下部肩部４４ａ、下部支持部４３ａが構成される。
【００３５】
また、図に示すように、側面部３３、フラップ３７ａ、フラップ３８ａも一体に構成される。
ここでは、上部肩部４２ａまたは上部肩部４２ａの近傍に、上部支持部４１ａが９０ｍｍの間隔を置いて、５つ設けられる。
また、下部肩部４４ａまたは下部肩部４４ａの近傍に、下部支持部４３ａが９０ｍｍの間隔を置いて、６つ設けられる。
これらの上部支持部４１ａおよび下部支持部４３ａも、図に示すように、互い違いに設けられる。
上記のように、上部支持部（４１ａ、４１ｂ）や下部支持部（４３ａ、４３ｂ）のスリット加工は梱包容器３０の上面および下面に施される。このとき、加工位置を互い違いに配置するため、出張り箇所が当たることなく、複数の梱包容器３０を重ねることが可能になり、物流コストを低減することが可能になる。
【００３６】
また、ここでは、フラップ３７ｂは上部肩部４２ｂに対し、６ｍｍ長く設けられる。同様に、フラップ３８ｂも上部肩部４４ｂに対し、６ｍｍ長く設けられる。
また、上部支持部４１ｂは上部肩部４４ｂに対し、３ｍｍの高さに設けられる。同様に、下部支持部４３ｂも上部肩部４４ｂに対し、３ｍｍの高さに設けられる。
フラップ３７ａは上部肩部４２ａに対し、３ｍｍ長く設けられる。同様に、フラップ３８ａも上部肩部４４ａに対し、３ｍｍ長く設けられる。
また、上部支持部４１ａは上部肩部４２ａに対し、６ｍｍの高さに設けられる。同様に、下部支持部４３ａも下部肩部４４ａに対し、６ｍｍの高さに設けられる。
このように構成することによって、この実施の形態においては、梱包容器３０を組み立てた際に、まず、フラップ３７ａ、フラップ３７ｂ、フラップ３８ａ、フラップ３８ｂが組み入れられる。
【００３７】
続いて、図５に示すように、下面部３６ａが組み入れられた後に、上面部３１ｂが組み入れられ、梱包物（例えば電子機器（ＴＶ）１）が載置される下面部となる。
また、図５に示すように上面部３１ａが組み入れられた後に、上面部３１ｂが組み入れられ、梱包物（例えば電子機器（ＴＶ）１）が載置される上面部となる。
これらは、上記のように、下部支持部４３ａの高さと下部支持部４３ｂの高さ（大きさ）を異ならせていること、すなわち、例えば、下部支持部４３ａの高さを下部支持部４３ｂの高さより高くしていることにより平坦になりやすく、安定化が可能になる。
【００３８】
また、同様に、上部支持部４１ａの高さと上部支持部４１ｂの高さ（大きさ）を異ならせていること、すなわち、例えば、上部支持部４１ａの高さを上部支持部４１ｂの高さより高くしていることにより平坦になりやすく、安定化が可能になる。
【００３９】
すなわち、この実施の形態においては、例えば、上面部３１ａと上面部３１ｂを重ね合わせるように構成している。
また、このとき、上部肩部４２ａと上部肩部４２ｂに係る折り目を、例えば図５に示すように、段違いに構成している。このように構成することで、上面部３１ａと上面部３１ｂを重ね合わせた面を平坦にすることが可能になる。
【００４０】
この構成は、図５に示す、フラップ３７ａ、フラップ３７ｂにおいても同様に、段違いに構成し、フラップ３７ａ、フラップ３７ｂを重ね合わせた面を平坦にすることが可能になる。
【００４１】
この構成は、下面部３６ａと下面部３６ｂおよびフラップ３８ａ、フラップ３８ｂにおいても適用可能である。
このように構成することによって、梱包容器３０の加工を簡易にすることが可能である。また、梱包部材を有効に利用することが可能になる。このため、段ボールシート等の梱包部材の使用量を低減することが可能になる。これによって、梱包容器３０の重量を低減し、物量コストの低減および環境への負荷を低減することが可能となる。また、保管場所を削減することが可能になる。
【００４２】
図９は、実施形態に係わる、図８に示す梱包材の一部から組み立てられる梱包容器の一例を示す図である。
図に示すように、図８（ａ）、図８（ｂ）に示す２枚の梱包部材から梱包容器３０が組み立てられる。
図１０は、実施形態に係わる梱包容器を重ねた例を示す図である。
図１０（ａ）は、複数の梱包容器３０を横方向に並べた例である。
上記のように、梱包容器３０が単体の状態でも物流に対して安定であるが、このように複数の梱包容器３０を横方向に並べることにより、より安定となる。
図１０（ｂ）は、上記図１０（ａ）に示す、ある複数の梱包容器３０を横方向に並べる構成に、他の複数の梱包容器３０を横方向に並べる構成を重ねた構成を示している。
【００４３】
このように構成することによって、この実施の形態においては、ある複数の梱包容器３０を横方向に並べる構成の上に、他の複数の梱包容器３０を横方向に並べる構成が載置された際に、ある梱包容器３０の複数の上部支持部４１ｂ間に他の梱包容器３０の複数の下部支持部４３ｂが組み合わされ、物流において、安定な状態となる。
【００４４】
なお、上記説明においては電子機器１の一例としてＴＶを用いて説明を行ったが、この実施の形態においてはこれに限られることはなく、ディスプレーやパーソナルコンピュータ（ＰＣ）、スレート型ＰＣ等、他の電子機器の梱包容器にも適用可能である。
【００４５】
上記のように構成することによって、この発明の実施の形態においては、電子機器の梱包容器の薄型化と物流における安定化を両立させることが可能となる。
なお、上記実施形態は、記述そのものに限定されるものではなく、実施段階では、その趣旨を逸脱しない範囲で、構成要素を種々変形して具体化することが可能である。
【符号の説明】
【００４６】
３０…梱包容器、３１ａ…上面部、３１ｂ…上面部、３２…側面部、３３…側面部、３４…側面部、３５…側面部、３６ａ…下面部、３６ｂ…下面部、３７ａ…フラップ、３７ｂ…フラップ、４１ａ…上部支持部（高い）、４１ｂ…上部支持部（低い）、４２ａ…上部肩部、４２ｂ…上部肩部、４３ａ…下部支持部（高い）、４３ｂ…下部支持部（低い）、４４ａ…下部肩部、４４ｂ…下部肩部。
【図１】
2012171639.tif 000003
【図２】
2012171639.tif 000004
【図３】
2012171639.tif 000005
【図４】
2012171639.tif 000006
【図５】
2012171639.tif 000007
【図６】
2012171639.tif 000008
【図７】
2012171639.tif 000009
【図８】
2012171639.tif 000010
【図９】
2012171639.tif 000011
【図１０】
2012171639.tif 000012
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
梱包物が内部空間に梱包される梱包容器であって、
前記梱包物が載置される下面部と、
前記下面部に対向する上面部と、
前記梱包物の周囲に配置される側面部と、
前記側面部と前記下面部が交わる部分に形成される下部肩部から下方に突き出た下部支持部と、
前記側面部と前記上面部が交わる部分に形成される上部肩部から上方に突き出た上部支持部と
を備え、
前記下部支持部と前記上部支持部は、上下方向に対して直交する方向において互い違いに設けられている、
梱包容器。
【請求項２】
前記下部支持部と前記上部支持部は、横方向において互い違いに設けられている、
請求項１に記載の梱包容器。
【請求項３】
第１下面部と第１上面部と第１側面部とを有する第１梱包部材と、
第２下面部と第２上面部と第２側面部とを有し、前記第１梱包部材に組み合わされる第２梱包部材と
を備え、
前記下面部は、前記第１下面部と前記第２下面部とにより構成され、前記第１下面部の上に前記第２下面部が重ねられており、
前記上面部は、前記第１上面部と前記第２上面部とにより構成され、前記第２上面部の上に前記第１上面部が重ねられており、
前記側面部は、前記第１側面部と前記第２側面部とにより構成され、前記第１側面部と前記第２側面部とが前記内部空間を介して対向している、
請求項１または２に記載の梱包容器。
【請求項４】
前記第１梱包部材は、
前記第１側面部と前記第１下面部が交わる部分に形成される第１下部肩部から下方に突き出ている第１下部支持部と、
前記第１側面部と前記第１上面部が交わる部分に形成される第１上部肩部から上方に突き出ている第１上部支持部と
を有し、
前記第２梱包部材は、
前記第２側面部と前記第２下面部が交わる部分に形成される第２下部肩部から下方に突き出ている第２下部支持部と、
前記第２側面部と前記第２上面部が交わる部分に形成される第２上部肩部から上方に突き出ている第２上部支持部と
を有し、
前記第１下部肩部から突き出た前記第１下部支持部の高さは、前記第２下部肩部から突き出た前記第２下部支持部の高さよりも低く、
前記第１上部肩部から突き出た前記第１上部支持部の高さは、前記第２上部肩部から突き出た前記第２上部支持部の高さよりも低い、
請求項３に記載の梱包容器。
【請求項５】
前記梱包物として電子機器が前記内部空間に梱包される、
請求項１から４のいずれかに記載の梱包容器。
【請求項６】
梱包材で構成される、
請求項１から５のいずれかに記載の梱包容器。
【請求項７】
前記側面部と前記下部支持部と前記上部支持部は、一体で構成されている、
請求項１から６のいずれかに記載の梱包容器。
【請求項８】
前記下部支持部と前記上部支持部は、前記側面部と略同じ方向に強い強度を備える、
請求項１から７のいずれかに記載の梱包容器。